(57)【要約】【課題】省電力と通信品質を確保したゲート管理システムを提供する。【解決手段】社員が所持する無線携帯機５０が認証されたときに内蔵するモーター等の駆動装置によりゲート４を開放するゲート装置３と、ゲート４の近傍に配置され、社員１、２がゲート４の近傍に進入したことを検知してトリガ信号を発生するマット（トリガ信号発生手段）４８と、トリガ信号により起動してゲート4の近傍に送信電波を放射すると共に、送信電波により起動された無線携帯機５０から発信される電波を受信して管理情報に基づいた認証判定及びゲート４の開閉制御を行なうゲート無線局５１と、を備えて構成されている。【選択図】図１
2010066857.tif 000002
【特許請求の範囲】
【請求項１】
ゲートの開閉又は施開錠を制御して入退場を管理するゲート管理システムであって、
前記ゲートを入退場するための管理情報の記憶及び外部との無線通信を行なう無線携帯
機と、
前記ゲートの開閉又は施開錠を行うゲート装置と、
前記無線携帯機と無線通信を行い前記管理情報を取得し、取得した前記管理情報に基づ
き認証判定を行い、前記認証判定の結果に基づき前記ゲート装置により前記ゲートの開閉
又は施開錠の制御を行なうゲート無線局と、
入退場対象が前記ゲートに接近したことを検知してトリガ信号を発生するトリガ信号発
生手段と、
を備え、
前記ゲート無線局は、前記トリガ信号を入力することにより起動し第１の電波を発信し
、
前記無線携帯機は、前記第１の電波を受信することにより起動し、第２の電波を発信す
ることにより前記管理情報を前記ゲート無線局へ送信する
ことを特徴とするゲート管理システム。
【請求項２】
請求項１に記載のゲート管理システムであって、
前記ゲート無線局が発信する前記第１の電波の周波数を前記無線携帯機が発信する前記
第２の電波の周波数と異なるように設定したことを特徴とするゲート管理システム。
【請求項３】
請求項２に記載のゲート管理システムであって、
前記ゲート無線局は、前記トリガ信号発生手段により前記トリガ信号が発生されると、
複数の前記無線携帯機が共通に使用可能な共通ＩＤ，及び前記ゲート装置が設置されたエ
リアを示すエリアコードを前記第１の電波により送信し、前記無線携帯機から前記無線携
帯機を特定する個人ＩＤ、及び入退場履歴データを受信すると、前記入退場履歴データを
更新し、前記エリアコード、前記個人ＩＤ、及び更新された前記入退場履歴データを送信
することを特徴とするゲート管理システム。
【請求項４】
請求項３に記載のゲート管理システムであって、
前記無線携帯機は、前記ゲート無線局から前記第１の電波を受信すると、前記無線携帯
機の電源をＯＮにして前記共通ＩＤ、及び前記エリアコードを照合し、照合の結果、前記
ゲートの入退場が可能と判定された場合、前記無線携帯機の前記個人ＩＤ、及び前記入退
場履歴データを前記第２の電波により前記ゲート無線局に送信し、
前記ゲート無線局から送信された前記エリアコード、前記個人ＩＤ，及び更新された前
記入退場履歴データの中から前記エリアコード、及び個人ＩＤを照合して一致した場合、
前記更新された入退場履歴データを前記無線携帯機の記憶部に記憶することを特徴とする
ゲート管理システム。
【請求項５】
前記ゲートは、入場用ゲートと退場用ゲートとを備え、前記トリガ信号発生手段を前記
入場用ゲートと退場用ゲートのそれぞれに個別に配置したことを特徴とする請求項１に記
載のゲート管理システム。
【請求項６】
前記ゲート無線局は、前記入退場対象が認証されて前記ゲートから入場又は退場した場
合、前記トリガ信号発生手段から発生されるトリガ信号による前記ゲート無線局の前記起
動を一定時間行わないように動作することを特徴とする請求項１乃至３の何れか一項に記
載のゲート管理システム。
【請求項７】
前記ゲート無線局は、前記入退場対象が認証されて前記ゲートを開放した場合、前記送
信電波の有効エリアから前記入退場対象が出るまで前記ゲートを再度開放しないように前
記ゲート装置を制御することを特徴とする請求項１乃至３の何れか一項に記載のゲート管
理システム。
【請求項８】
前記トリガ信号発生手段は、重量感知センサ、タッチセンサ、又は人感センサにより構
成されていることを特徴とする請求項１乃至７の何れか一項に記載のゲート管理システム
。
【請求項９】
前記トリガ信号発生手段は、複数の前記重量感知センサを互いに離間させて配置して構
成され、前記ゲート無線局は、各重量感知センサの動作順序に基づいて、前記入退場対象
が進行する方向を判定することを特徴とする請求項１乃至３又は６に記載のゲート管理シ
ステム。
【発明の詳細な説明】
【技術分野】
【０００１】
本発明は、ゲート管理システムに関し、さらに詳しくは、入退場者などの入退場対象が
有する無線携帯機とゲートを制御するゲート無線局との間で、相互に情報の授受を行なう
ことにより、入退場対象のゲート通過の管理を行なうゲート管理システムに関するもので
ある。
【背景技術】
【０００２】
各種施設の出入り口に設けられるゲートからの入退場を管理するシステムとして、特許
文献１には、入退場者にＲＦＩＤのタグを保持させ、出入口の外側と内側とに特性の異な
る赤外線発信装置をそれぞれ配設するとともに、タグ用受信機を配設し、タグが、受光し
た赤外線の特性に基づいて赤外線発信装置の位置ＩＤを識別し、この位置ＩＤをタグ自体
のＩＤと共にタグ用受信機に送信するようにする非接触入退場管理システムについて開示
されている。
また、特許文献２には、入退場者にＲＦＩＤのタグを付与するとともに、出入口に赤外
線、音波又は電波発信装置と、タグ受信機を配設し、前記タグが、受信した赤外線、音波
又は電波の特性に基づいて発信装置の位置ＩＤと共にタグ自体のＩＤをタグ用受信機に送
信することによって入退場者を管理する管理システムにおいて、スイッチＡ、Ｂ、Ｃの押
圧によって個別ＩＤを送信するＲＦＩＤのタグを用いて入退場者の管理を行う管理システ
ムについて開示されている。
【特許文献１】特開２００３−２１６７９公報
【特許文献２】特開２００４−２８８１１９公報
【発明の開示】
【発明が解決しようとする課題】
【０００３】
しかし、特許文献１の従来技術は、タグ用受信機に赤外線対応の受光部が必要であり、
また、タグ用受信機を常に見えるところに携帯する必要がある。また、ゲートを挟んで両
側に赤外線装置を設置する必要があり、且つ赤外線を常時出力しておかなければならない
といった制約がある。
また、特許文献２の従来技術は、ＲＦＩＤタグにスイッチ押圧による情報送信が必要で
あり、ＲＦＩＤタグの構成が複雑となるといった問題がある。
本発明は、かかる課題に鑑み、省電力と通信品質を確保したゲート管理システムを提供
することを目的とする。
【課題を解決するための手段】
【０００４】
本発明は、上述の課題の少なくとも一部を解決するためになされたものであり、以下の
形態又は適用例として実現することが可能である。
【０００５】
［適用例１］ゲートの開閉又は施開錠を制御して入退場を管理するゲート管理システム
であって、前記ゲートを入退場するための管理情報の記憶及び外部との無線通信を行なう
無線携帯機と、前記ゲートの開閉又は施開錠を行うゲート装置と、前記無線携帯機と無線
通信を行い前記管理情報を取得し、取得した前記管理情報に基づき認証判定を行い、前記
認証判定の結果に基づき前記ゲート装置により前記ゲートの開閉又は施開錠の制御を行な
うゲート無線局と、入退場対象が前記ゲートに接近したことを検知してトリガ信号を発生
するトリガ信号発生手段と、を備え、前記ゲート無線局は、前記トリガ信号を入力するこ
とにより起動し第１の電波を発信し、前記無線携帯機は、前記第１の電波を受信すること
により起動し、第２の電波を発信することにより前記管理情報を前記ゲート無線局へ送信
することを特徴とする。
【０００６】
上記適用例１は、ゲート無線局の起動がトリガ信号により行なわれ、常時、ゲート無線
局の電源をＯＮにしておかずに、必要なときだけ動作する構成にした。また、無線携帯機
の電源も、ゲート無線局からの電波を受信して電源がＯＮする構成にした。即ち、入退場
対象がゲートに近づくと、トリガ信号発生手段をＯＮしてゲート無線局を起動する。これ
により、装置の省電力を実現することができる。
【０００７】
［適用例２］前記ゲート無線局が発信する前記第１の電波の周波数を前記無線携帯機が
発信する前記第２の電波の周波数と異なるように設定したことを特徴とする。
【０００８】
上記構成により、無線携帯機とゲート無線局の間の通信を、周波数が異なる電波により
双方向通信することにより、通信品質の向上を実現することができる。
【０００９】
［適用例３］前記ゲート無線局は、前記トリガ信号発生手段により前記トリガ信号が発
生されると、複数の前記無線携帯機が共通に使用可能な共通ＩＤ，及び前記ゲート装置が
設置されたエリアを示すエリアコードを前記第１の電波により送信し、前記無線携帯機か
ら前記無線携帯機を特定する個人ＩＤ、及び入退場履歴データを受信すると、前記入退場
履歴データを更新し、前記エリアコード、前記個人ＩＤ、及び更新された前記入退場履歴
データを送信することを特徴とする。
【００１０】
ゲート無線局がトリガ信号により起動されると、ゲート装置が設置されているエリアを
示すエリアコードと共通に使用可能な共通ＩＤを第１の電波により送信する。無線携帯機
はその第１の電波を受信すると無線携帯機の電源をＯＮにする。その後、第１の電波を受
信することにより得られたデータを照合しゲートの入退場が可能と判定された場合、個人
ＩＤと無線携帯機の入退場履歴データをゲート無線局に送信する。ゲート無線局がそのデ
ータを受信すると、個人ＩＤの認証を行い、正規の個人ＩＤであることを確認すると、受
信した入退場履歴データを更新して無線携帯機に送信する。これにより、入退場対象の認
証が確実に実施でき、且つ、無線携帯機とゲート無線局の間の通信を、周波数が異なる電
波により双方向通信とすることにより同時に複数の入退場対象との交信を実現できる。
【００１１】
［適用例４］前記ゲート無線局は、前記トリガ信号発生手段により前記トリガ信号が発
生されると、複数の前記無線携帯機が共通に使用可能な共通ＩＤ，及び前記ゲート装置が
設置されたエリアを示すエリアコードを前記第１の電波により送信し、前記無線携帯機か
ら前記無線携帯機を特定する個人ＩＤ、及び入退場履歴データを受信すると、前記入退場
履歴データを更新し、前記エリアコード、前記個人ＩＤ、及び更新された前記入退場履歴
データを送信することを特徴とする。
【００１２】
無線携帯機は、ゲート無線局から電波が送信されたことを検知するため、ＲＳＳＩなど
の回路を用いて間欠受信動作を行う。すなわち、無線携帯機は、ゲート無線局から電波が
送信されると、ＲＳＳＩにより電波を受信して信号強度を測定し、測定した信号強度が一
定基準に達した場合、無線携帯機の電源をＯＮする。その結果、受信部によりゲート無線
局から送信された共通ＩＤ、エリアコードを受信してデータ照合する。照合の結果、前記
ゲートの入退場が可能と判定された場合、個人ＩＤと入退場履歴データを送信する。その
後、ゲート無線局からの受信待機状態となり、ゲート無線局からエリアコード、個人ＩＤ
、及び更新された入退場履歴データを受信する。エリアコード、個人ＩＤが一致すると、
受信した更新された入退場履歴データを記憶部に記憶する。これにより、輻輳する電波の
中から特定の個人ＩＤを検知して正確な入退場履歴データを取得することができる。
【００１３】
［適用例５］前記ゲートは、入場用ゲートと退場用ゲートとを備え、前記トリガ信号発
生手段を前記入場用ゲートと退場用ゲートのそれぞれに個別に配置したことを特徴とする
。
【００１４】
トリガ信号発生手段をゲートの入口と出口に配置した場合、入口から入場した入退場対
象はゲートが開くと、出口側に配置されたトリガ信号発生手段を駆動してトリガ信号を再
び発生することになる。また、逆の場合も同じことが発生する。そこで適用例５では、入
口と出口を完全に分離して、夫々の口に専用のトリガ信号発生手段を配置する。これによ
り、簡易な構成で確実に入退場の制御を行うことができる。
【００１５】
［適用例６］前記ゲート無線局は、前記入退場対象が認証されて前記ゲートから入場又
は退場した場合、前記トリガ信号発生手段から発生されるトリガ信号による前記ゲート無
線局の前記起動を一定時間行わないように動作することを特徴とする。
【００１６】
トリガ信号発生手段をゲート装置の入口と出口に配置した場合、入口から入場した入退
場対象はゲートが開くと、出口側に配置されたトリガ信号発生手段を駆動してトリガ信号
を発生することになる。また、逆の場合も同じことが発生する。そこで適用例６では、ゲ
ートが開いた場合、入退場対象は一定時間後には移動して、反対側にあるトリガ信号発生
手段を過ぎている場合が多いと仮定して、ゲートから入場又は退場した場合、トリガ信号
発生手段から発生されるトリガ信号を一定時間無視するように動作する。すなわち、入退
場対象がゲートから入場又は退場した時点から一定時間内は、トリガ信号発生手段でトリ
ガ信号が発生しても、ゲート無線局の起動の処理を行わないように動作する。これにより
、同じ入退場対象による不要なトリガ信号を簡単な制御で無視することができる。
【００１７】
［適用例７］前記ゲート無線局は、前記入退場対象が認証されて前記ゲートを開放した
場合、前記送信電波の有効エリアから前記入退場対象が出るまで前記ゲートを再度開放し
ないように前記ゲート装置を制御することを特徴とする。
【００１８】
トリガ信号発生手段をゲート装置の入口と出口に配置した場合、入口から入場した入退
場対象はゲートが開くと、出口側に配置されたトリガ信号発生手段を駆動してトリガ信号
を発生することになる。また、逆の場合も同じことが発生する。即ち、ゲート無線局は、
ゲート近傍の狭い範囲内に電波を送信する。従って、その範囲内がゲート無線局の制御範
囲となる。そこで適用例７では、その制御範囲から出るまで再びゲートを開けないように
制御する。これにより、入退場した入退場対象が引き返した場合に不要にゲートを開ける
ことを防止することができる。
【００１９】
［適用例８］前記トリガ信号発生手段は、重量感知センサ、タッチセンサ、又は人感セ
ンサにより構成されていることを特徴とする。
【００２０】
入退場対象がゲート装置に近づいたことを検知する方法は各種ある。例えば、マットに
入退場対象の重量を感知するセンサを埋め込み、マットを踏むとトリガ信号を発生する。
また、入退場対象が人間である場合は、ゲート装置の近傍にタッチパネル等を設置し、入
退場対象がそのタッチパネルを触ることによりトリガ信号を発生する。また、人間の体温
を検知して、人間がゲートに近づいたことにより自動的にトリガ信号を発生する。これに
より、ゲートが設置される環境に最適なトリガ信号発生手段を備えることができる。
【００２１】
［適用例９］前記トリガ信号発生手段は、複数の前記重量感知センサを直線状に配置し
て構成され、前記ゲート無線局は、各重量感知センサの動作順序に基づいて、前記入退場
対象が進行する方向を判定することを特徴とする。
【００２２】
トリガ信号発生手段を重量感知センサにより構成した場合、複数の重量感知センサを互
いに離間させて配置する。そして、各重量感知センサと対応付けてトリガ信号を管理する
ことにより、トリガ信号が発生する順番で入退場対象が進行した方向を判断することがで
きる。これにより、入退場対象の存在と進行方向を同時に検知することができる。
【発明を実施するための最良の形態】
【００２３】
以下、本発明の実施形態を詳細に説明する。但し、この実施形態に記載される構成要素
、種類、組み合わせ、形状、その相対配置などは特定的な記載がない限り、この発明の範
囲をそれのみに限定する主旨ではなく単なる説明例に過ぎない。
図１は本発明の第１の実施形態に係るゲート管理システムの構成模式図である。このゲ
ート管理システム１００は、ゲート４の開閉又は施開錠を制御して入退場を管理するゲー
ト管理システム１００であって、入退場対象である社員（入退場者）１（１ａ〜１ｃは同
じ社員）、社員２が所持し、ゲートを入退場するために必要な管理情報の記憶と管理情報
の授受を行なう無線携帯機５０と、社員が所持する無線携帯機５０が認証されたときに内
蔵するモーター等の駆動装置によりゲート４を開放するゲート装置３と、ゲート４の近傍
に配置され、社員１、２がゲート４の近傍に進入したことを検知してトリガ信号を発生す
るマット（トリガ信号発生手段）４８と、トリガ信号により起動してゲート4の近傍に送
信電波を放射すると共に、送信電波により起動された無線携帯機５０から発信される電波
を受信して管理情報に基づいた認証判定及びゲート４の開閉制御を行なうゲート無線局５
１と、を備え、ゲート無線局５１は、送信動作及び受信動作を独立に行なう双方向通信に
より無線携帯機５０と通信するために、ゲート無線局５１が送信する送信電波の周波数ｆ
１と無線携帯機５０から発信される電波の周波数ｆ２とを異なるように設定する。
【００２４】
図１では、外側Ａに社員１が矢印の方向に向かって館内に入場しようとしており無線携
帯機５０を所持している。そして、マット４８上にいるときを社員１ａとし、マット４８
から下りてゲート４から入場しようとしているときを社員１ｂとし、ゲート４を通過して
館内側Ｂにいるときを社員１ｃとする。また、別の社員２は、館内側Ｂのマット４８上に
おり、ゲート４から退場しようとしている。尚、各社員１、２の無線携帯機５０の構成は
図５で後述するが、夫々異なる個人ＩＤを有している。また、ゲート無線局５１には、ゲ
ート装置３を制御するゲート監視部４６と、認証された場合に、社員に報知する情報を表
示又は音声により通報する表示・音声部４５が備えられている。
即ち、本実施形態の特徴は、無線携帯機５０とゲート無線局５１の間の通信を、互いに
異なる周波数ｆ１、ｆ２の電波を用いて双方向通信により行う点にある。また、ゲート無
線局５１の起動がトリガ信号により行なわれ、ゲート無線局５１の電源を常時ＯＮにせず
に、必要なときだけ動作する構成にした。また、無線携帯機５０の電源も、ゲート無線局
５１からの電波を受信して電源がＯＮする構成にした。即ち、社員１がゲート４に近づく
と、マット４８をＯＮしてゲート無線局５１を起動する。ゲート無線局５１は、例えば、
周波数ｆ１の電波を送信する。社員１が所持する無線携帯機５０は、その電波ｆ１を受信
すると、例えば、周波数ｆ２により管理情報を送信する。その後、認証動作が行なわれ、
社員１が認証されるとゲート装置３によりゲートが開放される。これにより、装置の省電
力と通信品質の向上を実現することができる。詳細な動作は図２を参照して説明する。な
お、ゲート無線局５１については、トリガ信号の検出に応じてゲート無線局５１の電源を
ＯＮする形態で説明したが、別な形態として、ゲート無線局５１を構成する回路のうち通
信や認証に必要になる回路のみについて、トリガ信号の検出に応じてＯＮし、常時ＯＮに
しない構成としても、装置の省電力化を実現できる。
【００２５】
図２はゲート管理システムに係るゲート無線局の動作を説明するフローチャートであり
、図３はゲート管理システムに係る無線携帯機の動作を説明するフローチャートである。
図１を参照して説明する。尚、図２のフローチャートにおいて、太い矢印は動作の流れを
示し、（１）−Ａはメインの流れを示し、（１）−Ｂは複数の社員が同時に入退場する流
れを示し、（２）は周波数ｆ２の受信待ち受け状態を示す。
まず、ゲート無線局５１は、社員１ａがマット４８を踏むと（Ｓ１）、ゲート無線局５
１から周波数ｆ１でエリアコード、共通ＩＤを送信する（Ｓ２）。このとき同時にｆ２で
受信待ち受け状態に入る（Ｓ１３）。このとき、複数人数で通過した場合を想定して（（
１）−Ｂのルート）、最初のｆ１送信後、トリガ信号が発生した場合でも、ｆ１にて送信
できるよう送信機と受信機は独立して動作可能な構成とする。
次に、ゲート無線局５１にて、制御部からの送信指示待ち（Ｓ３）、およびトリガ入力
監視状態（Ｓ９）に入る。このトリガ入力監視状態は、ここで再度トリガ信号（例えば２
人目がマットを踏む）が発生した場合（Ｓ１０でＹＥＳ）、個人向け送信指示がまだない
場合には（Ｓ１１でＮＯ）、周波数ｆ１でエリアコード、共通ＩＤを送信する（Ｓ２）。
また、個人向け送信指示がある場合には（Ｓ１１でＹＥＳ）、周波数ｆ１でエリアコード
、共通ＩＤ、個人ＩＤ＋入退場履歴データを送信する（Ｓ１２）。
【００２６】
また、（２）の動作でｆ２を受信して（Ｓ１４でＹＥＳ）データ照合して（Ｓ１５）、
一致した場合に（Ｓ１６でＹＥＳ）、ゲート無線局５１の制御部より周波数ｆ１の送信指
示が出力される（Ｓ１７）。その結果、周波数ｆ１でエリアコード、個人ＩＤ＋入退場履
歴データを送信する（Ｓ５）。そして、ゲート表示及び／又は音声により報知して（Ｓ６
）、ゲート４を開放して（Ｓ７）、通信を終了する（Ｓ８）。尚、ステップＳ１６でデー
タが一致しなかった場合（Ｓ１６でＮＯ）、警告（表示、音など）処置を行う（Ｓ１８）
。また、ゲート無線局５１にて、トリガ信号を受け、Ｓ２において周波数ｆ１で送信処理
を行った後、一定時間立っても周波数ｆ２にてデータを受信しない場合は、警告後初期状
態（システムＯＦＦ）に戻る。
即ち、ゲート無線局５１がトリガされると、ゲート４が設置されているエリアを示すエ
リアコードと共通に使用可能な共通ＩＤを送信する。無線携帯機５０はそのデータを受信
すると無線携帯機５０の電源をＯＮする。その後、データ照合して個人ＩＤと無線携帯機
５０の入退場履歴データ（入退場記録等）をゲート無線局５１に送信する。ゲート無線局
５１がそのデータを受信すると、個人ＩＤの認証を行い、正規の個人ＩＤであることを確
認すると、受信した履歴情報を更新して無線携帯機５０に送信する。これにより、社員の
認証が確実に実施でき、且つ、同時に複数の社員との交信を実現できる。
【００２７】
次に図３のフローチャートの動作について説明する。通常は無線携帯機５０はスリープ
モードにあり、無線携帯機５０が受信する電波の強度を測定するための回路であるＲＳＳ
Ｉ監視部（Ｒｅｃｅｉｖｅｄ  Ｓｉｇｎａｌ  Ｓｔｒｅｎｇｔｈ  Ｉｎｄｉｃａｔｉｏｎ
監視部）のみが活性化されている（Ｓ２０）、その状態で、無線携帯機５０にてｆ１を受
信すると（Ｓ２１でＹＥＳ）、無線携帯機５０（送信部３２、受信部の復調回路２２、お
よび制御部２０）の電源をＯＮして（Ｓ２）、データ照合を行う（Ｓ２３）。照合の結果
、無線携帯機５０にてエリアコードと共通ＩＤが一致すると（Ｓ２４でＹＥＳ）、周波数
ｆ２にて、個人ＩＤ、入退データを送信する（Ｓ２５）。その後、ｆ２送信後ｆ１にて待
ち受け状態に入る（Ｓ２６）。ここで、ステップＳ２５でｆ２送信後は、自分のＩＤを含
む周波数ｆ１を受信するまで受信を繰返す（Ｓ２７）。一定時間経過しても自分のＩＤを
含む周波数ｆ１を受信できない場合は、警告（例えばブザー、振動）後、ステップＳ２０
の初期モード（スリープモード）に戻る（通信失敗）。
一方、ステップＳ２７でｆ１を受信すると（Ｓ２７でＹＥＳ）、エリアコード、個人Ｉ
Ｄのデータを照合して（Ｓ２８）。一致した場合（Ｓ２９でＹＥＳ）、入退データを記憶
部に書き込み（Ｓ３０）、通信を終了する（Ｓ３１）。尚、    ステップＳ２９でデータ
が一致しなかった場合、警告（例えばブザー、振動）後、ステップＳ２０の初期モード（
スリープモード）に戻る（通信失敗）。
即ち、無線携帯機５０は、ゲート無線局５１から電波が送信されたことを検知するため
に、ＲＳＳＩ回路部分を活性化しておく。従って、ゲート無線局５１から電波が送信され
ると、ＲＳＳＩにより電波を受信して無線携帯機５０の電源をＯＮする。その結果、受信
部２１によりゲート無線局５１から送信された共通ＩＤ、エリアコードを受信してデータ
照合する。照合の結果、登録データと一致すると、個人ＩＤと入退場履歴データを送信す
る。その後、ゲート無線局５１からの受信待機状態となり、ゲート無線局５１からエリア
コード、個人ＩＤ、及び更新された入退場履歴データを受信する。エリアコード、個人Ｉ
Ｄが一致すると、更新された入退場履歴データを記憶部に記憶する。これにより、輻輳す
る電波の中から特定の個人ＩＤを検知して正確な更新された入退場履歴データを取得する
ことができる。
【００２８】
図４（ａ）は、ゲートの入口側と出口側を分離して入場用ゲート５と退場用ゲート６を
設置し、それぞれにマットを配置した図である。マットをゲートの入口と出口に配置した
場合、入口から入場した社員はゲートが開くと、出口側に配置されたマットを踏んでトリ
ガ信号を再び発生することになる。また、逆の場合も同じことが発生する。そこで本実施
例では、入口と出口を完全に分離して、夫々の口に専用のマット４８を配置する。これに
より、簡易な構成で確実に入退場の制御を行うことができる。
図４（ｂ）は、マットに複数のセンサを取り付けて、進行した方向を検知するマットの
図である。マット４８を重量感知センサにより構成した場合、入退場者が進行する方向に
複数の重量感知センサａ〜ｇを配置する。そして、各重量感知センサと対応付けてトリガ
信号を管理することにより、トリガ信号が発生する順番で入退場者が進行した方向を判断
することができる。これにより、入退場者の存在と進行方向を同時に検知することができ
る。例えば、センサの検知順序がａ、ｂ、ｃ、・・・ｇとなった場合は、ａからｇの方向
に進んだことになり、逆にｇ、ｆ、ｅ・・・ａとなった場合は、ｇからａの方向に進んだ
と見做すことができる。
【００２９】
また、ゲート装置３によりゲートが開いた場合、入退場者は一定時間後には移動して、
反対側にあるマット４８を過ぎている場合が多いと仮定して、ゲート装置３から入場又は
退場した場合、マット４８から発生されるトリガ信号を一定時間無視するように動作する
。これにより、同じ入退場者よる不要なトリガ信号を簡単な制御で無視することができる
。
また、ゲート無線局５１は、ゲート４近傍の狭い範囲内に電波を送信する。従って、そ
の範囲内がゲート無線局５１の制御範囲となる。そこで、その制御範囲から出るまで再び
ゲートを開けないように制御する。これにより、入退場者が引き返した場合に不要にゲー
トを開けることを防止することができる。
また、入退場者がゲート４に近づいたことを検知する方法は各種ある。例えば、マット
に入退場者の重量を感知するセンサを埋め込み、マットを踏むとトリガ信号を発生する。
また、ゲート４の近傍にタッチパネル等を設置し、入退場者がそのタッチパネルを触るこ
とによりトリガ信号を発生する。また、入退場者の体温を検知して、入退場者がゲート４
に近づいたことにより自動的にトリガ信号を発生する。これにより、ゲート４が設置され
る環境に最適なトリガ信号発生手段を備えることができる。
【００３０】
図５は本実施形態のゲート管理システムの無線携帯機に係る構成例を示す図である。無
線携帯機５０は、制御部２０、受信部２１、送信部３２、送受切換スイッチ２８、アンテ
ナ２９により構成されている。制御部２０は、通信プロトコルの制御、個人ＩＤ、エリア
コード、入退場履歴データの記憶、および更新等の制御を行なう。受信部２１は、ｆ１周
波数の電波を増幅する低雑音増幅器２７と、周波数ｆ１を通過させるＲＦフィルタ２６と
、局部発振するローカル発振器３４と、周波数ｆ１と局部発振周波数を混合して中間周波
数に変換するミキサ２５と、中間周波数を通過させるＩＦフィルタ２４と、その信号を増
幅するＩＦ増幅器２３と、ゲート発振局５１からの電波を受信するＲＳＳＩ３３と、ＩＦ
増幅器２３により増幅された信号からデータを復調する復調回路２２と、を備えて構成さ
れている。また、送信部３２は、送信周波数ｆ２を発振する送信周波数発振器３１と、ｆ
２を電力増幅する送信増幅器３０と、を備えて構成されている。そして、送受切換スイッ
チ２８により、アンテナ２９からの電波を時分割に受信部２１に接続したり、送信部３２
からのｆ２電波をアンテナ２９に接続して送信する。
【００３１】
図６は本実施形態のゲート管理システムのゲート無線局に係る構成例を示す図である。
ゲート無線局５１は、アンテナ４０、４４と、受信機４１と、送信機４３と、制御部４２
と、を備えて構成されている。受信機４１と、制御部４２、送信機４３の構成は無線携帯
機５０と略同様であるので説明を省略する。異なる点は、受信機４１と送信機４３は個別
にアンテナを備え、双方向通信が可能な構成となっている。また、制御部４２には、マッ
ト４８からのトリガ信号が入力される。また、ゲート装置３を制御するゲート監視部４６
と、認証された場合に、入退場者に報知する情報を表示又は音声により通報する表示・音
声部４５が備えられている。また、社内ネットワーク（ＬＡＮ等）４７を利用して図示し
ないサーバと接続して、入退場者（社員）の入退場の管理や勤怠管理を一元的に行うこと
もできる。
【図面の簡単な説明】
【００３２】
【図１】本発明の第１の実施形態に係るゲート管理システムの構成模式図である。
【図２】ゲート管理システムに係るゲート無線局の動作を説明するフローチャートである。
【図３】ゲート管理システムに係る無線携帯機の動作を説明するフローチャートである。
【図４】（ａ）は、ゲートの入口側と出口側を分離してマットを配置した図、（ｂ）は、マットに複数のセンサを取り付けて、進行した方向を検知するマットの図である。
【図５】ゲート管理システムの無線携帯機に係る構成例を示す図である。
【図６】ゲート管理システムのゲート無線局に係る構成例を示す図である。
【符号の説明】
【００３３】
１、２  社員、３  ゲート装置、４  ゲート、５  入場用ゲート、６  退場用ゲート、
２０  制御部、２１  受信部、２２  復調回路、２３  ＩＦ増幅器、２４  ＩＦフィルタ
、２５  ミキサ、２６  ＲＦフィルタ、２７  低雑音増幅器、２８  送受切換スイッチ、
２９  アンテナ、３０  送信増幅器、３１  送信周波数発振器、３２  送信部、３３  Ｒ
ＳＳＩ、３４  ローカル発振器、４０、４４  アンテナ、４１  受信機、４２  制御部、
４３  送信機、４５  表示・音声部、４６  ゲート監視部、４７  社内ネットワーク、４
８  マット、５０  無線携帯機、５１  ゲート無線局、１００  ゲート管理システム
【図１】
2010066857.tif 000003
【図２】
2010066857.tif 000004
【図３】
2010066857.tif 000005
【図４】
2010066857.tif 000006
【図５】
2010066857.tif 000007
【図６】
2010066857.tif 000008